(57)【要約】【課題】遊技関連情報を電気的に表示する表示装置の打球の衝突による破損を可及的に防止すると共に表示内容を視認し易くした遊技機を提供すること。【解決手段】遊技盤１の遊技領域ｒに、遊技関連情報を電気的に表示する表示基板３１と当該表示基板を覆うように形成された外装部材１１とからなる表示装置１０を備えた遊技機において、その外装部材１１の背面に裏板部材２５を着脱可能に設け、その裏板部材２５の内面側に表示基板３１を取付けるようにした。【選択図】図４
2007244810.tif 000002
【特許請求の範囲】
【請求項１】
遊技盤の遊技領域に、遊技関連情報を電気的に表示する表示基板と当該表示基板を覆うように形成された外装部材とからなる表示装置を備えた遊技機において、
前記外装部材の背面に裏板部材を着脱可能に設け、その裏板部材の内面側に前記表示基板を取付けるように構成したことを特徴とする遊技機。
【請求項２】
前記表示装置に、遊技領域に打ち込まれた遊技球が衝突可能な返しゴム部材を設けたことを特徴とする請求項１に記載の遊技機。
【請求項３】
前記外装部材に、前記表示基板と当該表示基板に設けられる電子回路を制御する制御装置とを接続する中継基板が設けられていることを特徴とする請求項１又は２に記載の遊技機。
【請求項４】
前記外装部材又は裏板部材に、前記電子回路を構成する電子部品から発散する熱を外部へ逃がすための放熱用孔が設けられていることを特徴とする請求項１〜３の何れかに記載の遊技機。
【発明の詳細な説明】
【技術分野】
【０００１】
本発明は、遊技関連情報を電気的に表示する表示装置を備えた遊技機に関する。
【背景技術】
【０００２】
遊技機の一種であるパチンコ機では、パチンコ球の通過を検出する通過ゲートと、普通図柄表示器と、始動入賞装置と、特別図柄表示器及び大入賞装置を遊技領域に設け、その遊技領域に打ち込まれたパチンコ球が通過ゲートを通過することにより普通図柄表示器が作動して所定の図柄を表して停止し、このときにパチンコ球が入賞しにくい閉成状態から入賞しやすい開放状態に切り替えられる始動入賞装置にパチンコ球が入賞することにより特別図柄表示器を作動させ、その特別図柄表示器が所定の図柄を表して停止した場合に特定遊技状態を発生させるように構成されている。その普通図柄表示器や特別図柄表示器は、この明細書でいうところの遊技関連情報を表示する表示装置に相当する。
【０００３】
例えば、特開２００２−１１９７０６号公報には、数字や図形などの図柄を電気的に表示する図柄表示器及び遊技ランプを備えた表示装置を、遊技領域のほぼ中央の両側であってガイドレールにほぼ内接する状態で遊技盤に固定することが記載されている。ところが、その表示装置は遊技領域に打ち込まれる遊技球の衝撃作用によって、７セグメント表示器等の図柄表示器や発光ダイオード等の遊技ランプを破損する虞がある。
【０００４】
また、特開２００２−２４８２２２号公報には、遊技盤の非遊技領域に遊技関連情報としての賞球の未払出し個数を表示する未払出し個数カウンタ（表示装置）を飾り部材の内部に収納された形態で配置し、その未払出し個数カウンタの表示内容を飾り部材に形成された貫通孔から視認可能とした遊技機が開示されている。その未払出し個数カウンタは、非遊技領域に設けられているために上述した遊技球による破損を生じることはない。しかし、遊技中における遊技者は、打球の挙動や図柄表示装置の表示に神経を集中することから、下方に位置する未払出し個数カウンタの表示内容は必ずしも見易いとは言えない。
【特許文献１】特開２００２−１１９７０６号公報
【特許文献２】特開２００２−２４８２２２号公報
【発明の開示】
【発明が解決しようとする課題】
【０００５】
本発明の目的は、遊技関連情報を電気的に表示する表示装置の打球の衝突による破損を可及的に防止すると共に表示内容を視認し易くした遊技機を提供することにある。
【課題を解決するための手段】
【０００６】
前記目的を達成するために請求項１に記載した発明は、遊技球が転動する遊技領域に、遊技関連情報を電気的に表示する表示基板と当該表示基板を覆うように形成された外装部材とからなる表示装置を備えた遊技機において、前記外装部材の背面に裏板部材を着脱可能に設け、その裏板部材の内面側に前記表示基板を取付けるように構成したことを特徴とする。
【０００７】
同様の目的を達成するために請求項２に記載した発明は、請求項１に記載の遊技機において、前記表示装置に、遊技領域に打ち込まれた遊技球が衝突可能な返しゴム部材を設けたことを特徴とするものである。
【０００８】
同様の目的を達成するために請求項３に記載した発明は、請求項１又は２に記載の遊技機において、前記外装部材に、前記表示基板と当該表示基板に設けられる電子回路を制御する制御装置とを接続する中継基板が設けられていることを特徴とするものである。
【０００９】
同様の目的を達成するために請求項４に記載した発明は、請求項１〜３の何れかに記載の遊技機において、前記外装部材又は裏板部材に、前記電子回路を構成する電子部品から発散する熱を外部へ逃がすための放熱用孔が設けられていることを特徴とするものである。
【発明の効果】
【００１０】
（請求項１の発明）
この遊技機は、遊技関連情報を電気的に表示する表示基板を裏板部材側に取付けているので、打球が外装部材に当っても打球の衝突による表示基板の破損を可及的に防止することができる。加えて、表示装置が遊技領域に設けられているので、遊技中においても表示内容を視認し易い。
【００１１】
（請求項２の発明）
この遊技機は、返しゴム部材を表示装置に一体に設けているので、返しゴム部材を独立し別個に設ける場合に比べて部品点数が少なくなり、組み付け作業が行い易い。加えて、異なる遊技機間において共通部品化することができる。
【００１２】
（請求項３の発明）
この遊技機は、外装部材に中継基板を設けているので、製造工程における結線作業が行い易い。
【００１３】
（請求項４の発明）
この遊技機は、電子部品から発散する熱を外部へ逃がすための放熱用孔を設けているので、電子部品を安定して機能させるのに有益である。
【発明を実施するための最良の形態】
【００１４】
以下に、本発明の最良の形態例を図面に基づいて説明する。図１は表示装置及び誘導レールを設置した遊技盤の正面図、図２は表示装置の正面図、図３は同、側面図、図４は図２のＡ−Ａ線断面図、図５は表示装置の分解斜視図である。
【００１５】
本発明に係る遊技機たるパチンコ機の遊技盤１を図１に示す。この遊技盤１には、外側誘導レール２と、内側誘導レール３がほぼ円形状に設置されていて、右斜め上方の外側誘導レール２と内側誘導レール３の欠如した箇所に一部を臨ませるように表示装置１０が設けられている。ｒは外側誘導レール２と内側誘導レール３とにより囲まれる遊技領域である。この遊技領域ｒには、通常のパチンコ機と同様に、図示しない図柄表示装置、各種入賞口、大入賞口や障害釘等が配設されるが、本件発明の要旨ではないので説明を省く。
【００１６】
上記表示装置１０は、図５に示すように、遊技関連情報を電気的に表示する表示基板３１と、その表示基板３１を覆うように形成された外装部材１１と、その外装部材１１の背面に着脱可能に設けられる裏板部材２５等から構成されている。
【００１７】
外装部材１１は、外側誘導レール２の外周に沿うように内側壁１２ａが円弧状に形成された上方部１２と、内側誘導レール３の上端３ａから延びるように内側壁１３ａが円弧状に形成された下方部１３とが一体に形成されていて背面側を開放されている。それら内側壁１２ａと内側壁１３ａとの段差部１１ａの内側に形成された突部１４には、ブロック形状の返しゴム２１が嵌着されている（図１）。この返しゴム２１は、遊技領域ｒに打ち込まれた遊技球が衝突可能に設けられている。１５ａ〜１５ｃは外装部材１１の背面側に所定間隔で突出するように設けられた固定用ピンである。
【００１８】
下方部１３の前面には、四角形の透孔１６と５個の円形の透孔１７が並設されている。また、下方部１３の外側壁１３ｂには、後述する表示基板に設けられる電子部品から発散する熱を外部へ逃がすために、外装部材１１の開口部１１ｂ側から矩形状に切欠くことにより放熱用孔１８を設ける。
【００１９】
なお、この実施形態例では、放熱用孔１８を外装部材１１に設けているが、これに代えて後述する裏板部材２５に設けることもできる。
【００２０】
裏板部材２５は、外装部材１１の開口部１１ｂのほぼ中央部分を覆う大きさとされており、その内面２５ａにネジ孔２６ａを備えたボス２６と、後記表示基板３１を取付けるためのボス２７及び位置決めピン２８を適宜設けている。この裏板部材２５は、外装部材１１の開口部１１ｂに挿入してネジ孔２６ａに通した図示しないネジを締付けることにより当該外装部材１１に固定されるように設けられている。
【００２１】
表示基板３１には、裏板部材２５のボス２７及び位置決めピン２８に夫々対応するキリ孔３２，３３が設けられ、特別図柄の抽選結果を表すための７セグメント表示器３４、普通図柄の抽選結果及び保留状態を表すための発光ダイオード３５、コネクター３６が介装されている。この表示基板３１は、上記裏板部材２５にキリ孔３２に通した図示しないネジを締付けることにより固定される。
【００２２】
４０は上記７セグメント表示器３４等からなる電子回路を制御するパチンコ機側の制御装置（図示せず）と、上記表示基板３１のコネクター３６とを接続するための中継基板である。４１は中継基板４０のコネクターである。この中継基板４１は、外装部材１１側に取付けられるように設けられている。
【００２３】
しかして、表示基板３１が取り付けられた裏板部材２５を外装部材１１の開口部１１ｂに挿入して当該外装部材１１に固定すると共に中継基板４０を外装部材１１に固定することにより表示装置１０が構成される（図２、図３）。
【００２４】
この表示装置１０は、遊技盤１の右斜め上方の外側誘導レール２と内側誘導レール３の欠如した箇所に下方部１３を臨ませた状態で遊技盤１に設けられた位置決め孔（図示せず）に固定用ピン１５ａ〜１５ｃを押し込むことにより、遊技盤１に取付けられる。
【００２５】
つぎに、かかる構成になるパチンコ機の表示装置１０による表示態様について述べる。
（１）普通図柄の抽選結果については、上方の２個の発光ダイオード３５の点灯と消灯の組み合わせにより表示される。例えば、「上点灯下消灯」の場合には「当り」、「上消灯下点灯」の場合には「ハズレ」、「上消灯下消灯」の場合には「出現せず」を表す。
（２）普通図柄の保留状態については、下方の３個の発光ダイオード３５の点灯と消灯の組み合わせにより表示される。「上点灯」の場合には保留個数１個、「中点灯」の場合には保留個数２個、「下点灯」の場合には保留個数３個、「全点灯」の場合には保留個数４個、「消灯」の場合には「保留なし」を表す。
（３）特別図柄の抽選結果については、７セグメント表示器３４により表示される。「当り図柄」については、０〜９の数字、アルファベット等により約３０種類表される。また、「ハズレ図柄」については、「−」の表示がなされる。
【００２６】
以上に述べた通り、この遊技機は、表示基板を裏板部材側に取付けているので、打球が外装部材に当っても打球の衝突による表示基板の破損を可及的に防止することができる。加えて、表示装置による遊技関連情報の視認性が良いという利点がある。
【図面の簡単な説明】
【００２７】
【図１】表示装置及び誘導レールを設置した遊技盤の正面図
【図２】図２は表示装置の正面図
【図３】図３は同、側面図
【図４】図２のＡ−Ａ線断面図
【図５】表示装置の分解斜視図
【符号の説明】
【００２８】
１・・・遊技盤
ｒ・・・遊技領域
１０・・・表示装置
１１・・・外装部材
１８・・・放熱用孔
２１・・・返しゴム
２５・・・裏板部材
３１・・・表示基板
４０・・・中継基板
【図１】
2007244810.tif 000003
【図２】
2007244810.tif 000004
【図３】
2007244810.tif 000005
【図４】
2007244810.tif 000006
【図５】
2007244810.tif 000007